【事件の表示】
　特許第２７８０６４８号「インクジェットプリンタヘッド及びこのインクジェットプリンタヘッドの駆動方法」の請求項１ないし７に係る特許に対する特許異議の申立てについて、次のとおり決定する。
【結論】
　訂正を認める。
　特許第２７８０６４８号の請求項２ないし４、６ないし７に係る特許を維持する。
【理由】
Ｉ．手続きの経緯
　本件特許第２７８０６４８号発明は、平成６年８月８日に特許出願され、平成１０年５月１５日にその特許の設定登録がなされ、その後、鈴木俊孝より特許異議の申立てがなされ、取消理由通知がなされ、その指定期間内である平成１１年８月１６日に訂正請求がなされ、訂正拒絶理由通知がなされ、その指定期間内である平成１１年８月３１日に訂正明細書の補正がなされたものである。
ＩＩ．訂正明細書の補正の適否
　本補正は、特許請求の範囲の請求項１，５を削除するものであり、特許請求の範囲の減縮を目的とする訂正請求書の要旨を変更するものではなく、特許法第１２０条の４第３項で準用する同法第１３１条第２項の規定に適合するので、当該補正を認める。
ＩＩＩ．訂正の適否についての判断
１．訂正の要旨
　▲１▼訂正事項ａ
　特許請求の範囲の請求項２中の「前記吐出口の中心線の両側に、第一加熱部と第二加熱部を設け、かつ、前記インクジェットプリンタヘッドの走査方向と反対側に位置する第一又は第二加熱部を選択的して」を「前記吐出口の中心線の走査方向に沿う両側に、第一加熱部と第二加熱部を設け、かつ、走査方向が切り替わる毎に前記インクジェットプリンタヘッドの走査方向と反対側に位置する第一又は第二加熱部を選択して」と訂正するものである。
　▲２▼訂正事項ｂ
　特許請求の範囲の請求項３中の「前記吐出口の中心線の両側に、第一加熱部と第二加熱部を設けるとともに、これら第一及び第二加熱部の間に第三加熱部を設け、かつ、前記インクジェットプリンタヘッドの走査方向と反対側に位置する第一又は第二加熱部のいずれかと第三加熱部を選択して」を「前記吐出口の中心線の走査方向に沿う両側に、第一加熱部と第二加熱部を設けるとともに、これら第一及び第二加熱部の間に第三加熱部を設け、かつ、走査方向が切り替わる毎に前記インクジェットプリンタヘッドの走査方向と反対側に位置する第一又は第二加熱部のいずれかと第三加熱部を選択して」と訂正するものである。
　▲３▼訂正事項ｃ
　特許明細書の段落【００２０】の記載中の、上記訂正事項ａにおけると同様箇所を同様に訂正するものである。
　▲４▼訂正事項ｄ
　特許明細書の段落【００２１】の記載中の、上記訂正事項ｂにおけると同様箇所を同様に訂正するものである。
　▲５▼訂正事項ｅ
　特許明細書の段落【００２４】の記載中の「加熱部を加熱さする」を「加熱部を加熱する」と訂正するものである。
　▲６▼訂正事項ｆ
　特許請求の範囲の請求項１及び５を削除する訂正である。
２．訂正の目的、新規事項禁止、拡張変更禁止の各要件の判断
　▲１▼訂正事項ａは、願書に添付した明細書又は図面に記載した事項（特に、特許明細書の段落【００３９】【００４２】及び図５，６等参照。）の範囲内で、第一及び第二加熱部の位置と走査方向との関係を明瞭にし、第一及び第二加熱部の選択と走査方向との関係を限定するとともに、「選択的して」の誤記を正すものであり、明りょうでない記載の釈明、特許請求の範囲の減縮、及び誤記の訂正を目的とするものであって、上記各要件を満たすものである。
　▲２▼訂正事項ｂは、願書に添付した明細書又は図面に記載した事項（特に、特許明細書の段落【００５１】【００５２】及び図９等参照。）の範囲内で、第一及び第二加熱部の位置と走査方向との関係を明瞭にし、第一，第二，第三加熱部の選択と走査方向との関係を限定するものであり、明りょうでない記載の釈明及び特許請求の範囲の減縮を目的とするものであって、上記各要件を満たすものである。
　▲３▼訂正事項ｃは、上記訂正事項ａとの整合を図るものであり、上記各要件を満たすものである。
　▲４▼訂正事項ｄは、上記訂正事項ｂとの整合を図るものであり、上記各要件を満たすものである。
　▲５▼訂正事項ｅは、「加熱さする」の誤記を正すものであり、誤記の訂正を目的とするものであって、上記各要件を満たすものである。
　▲６▼訂正事項ｆは、特許請求の範囲の減縮を目的とするものであって、上記各要件を満たすものである。
３．独立特許要件の判断と訂正の適否のまとめ
　以下に述べるように、訂正後の本件請求項２，３，４，６，７に係る発明は特許出願の際独立して特許を受けるとができない発明とすることはできないことから、上記訂正は、特許法１２０条の４第２項及び同条第３項で準用する第１２６条第２乃至４項の規定に適合するので、当該訂正を認める。
ＩＶ．異議申立についての判断
１．本件請求項２，３，４，６，７に係る発明
　本件請求項２，３，４，６，７に係る発明は、訂正明細書及び図面の記載からみて、訂正明細書の特許請求の範囲の請求項２，３，４，６，７に記載された事項により特定される次のとおりのものである。
「【請求項２】往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の走査方向に沿う両側に、第一加熱部と第二加熱部を設け、かつ、走査方向が切り替わる毎に前記インクジェットプリンタヘッドの走査方向と反対側に位置する第一又は第二加熱部を選択して電源を供給する電源切替部を設けたことを特徴とするインクジェットプリンタヘッド。
　【請求項３】往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の走査方向に沿う両側に、第一加熱部と第二加熱部を設けるとともに、これら第一及び第二加熱部の間に第三加熱部を設け、かつ、走査方向が切り替わる毎に前記インクジェットプリンタヘッドの走査方向と反対側に位置する第一又は第二加熱部のいずれかと第三加熱部を選択して電源を供給する電源切替部を設けたことを特徴とするインクジェットプリンタヘッド。
　【請求項４】前記電源切替部を、前記加熱部の電源供給側に設けた構成の請求項２又は３記載のインクジェットプリンタヘッド。
　【請求項６】請求項２記載のインクジェットプリンタヘッドの駆動方法であって、インクジェットプリンタヘッドが往復走査するときに、前記電源切替部を切り替えて、前記第一又は第二加熱部のうち、反走査方向側に位置する加熱部を加熱することによって、前記吐出口の中心線の反走査方向側から走査方向側に向けてインク滴を飛ばすことを特徴とするインクジェットプリンタヘッドの駆動方法。
　【請求項７】請求項３記載のインクジェットプリンタヘッドの駆動方法であって、インクジェットプリンタヘッドが往復走査するときに、前記電源切替部を切り替えて、前記第一及び第三加熱部、又は、第二及び第三加熱部のうち、反走査方向側に位置する加熱部と前記第三加熱部を加熱することによって、前記吐出口の中心線の反走査方向側から走査方向側に向けてインク滴を飛ばすことを特徴とするインクジェットプリンタヘッドの駆動方法。」
２．取消理由の引用刊行物
　これに対して、当審が通知した取消理由で引用した刊行物は次のとおりである。
　刊行物１：特開昭６０−２６２６６０号公報
　一方向に走査しながら、インク流路３内に取り付けた圧電素子５を駆動し、インク流路先端の吐出口からインク滴を飛ばすインクジェットプリンタヘッドにおいて、ノズル先端面４に付着しているインクによる表面張力を利用して、メインインク滴とサテライトインク滴の噴射方向をヘッドの移動方向と反対側に一定角度ずらして印字することにより、両インク滴の記録媒体付着時のずれを小さくしたインクジェットプリンタヘッド、等が記載されている。
　刊行物２：特開平１−１１８４４３号公報
　走査しながら、インク貯蔵部内に取り付けた加熱部（抵抗器１０）でインクを加熱して気泡（バブル２４）を発生させ、前記加熱部と対向して設けた吐出口（オリフィス２０）からインク滴を飛ばすインクジェットプリンタヘッドにおいて、加熱部の中心線と吐出口の中心線とをずらすことにより、インク小滴に対する所望の軌道角度を得て、小滴の噴霧を最小にしたインクジェットプリンタヘッド、等が記載されている。
　刊行物３：特開昭５９−１２４８６５号公報
　走査しながら、インク貯蔵部内に取り付けた加熱部（エネルギー発生体１１ａ，ｂ）でインクを加熱して気泡を発生させ、前記加熱部と対向して設けた吐出口（吐出口１３）からインク滴を飛ばすインクジェットプリンタヘッドにおいて、インクジェットプリンタヘッドの走査方向と直交する前記吐出口の中心線（中心線１４）の走査方向に沿う両側に、第一加熱部（エネルギー発生体１１ａ）と第二加熱部（エネルギー発生体１１ｂ）を設け、加熱部の少なくとも１つを予備用としたインクジェットプリンタヘッド、等が記載されている。
　刊行物４：特開昭５５−５９９７７号公報
　走査しながら、発熱体１１でインクを加熱して気泡を発生させ、吐出オリフィス２からインク滴を飛ばすインクジェットプリンタヘッドにおいて、吐出流路２１の方向を傾斜させたインクジェットプリンタヘッド、等が記載されている。
３．対比・判断
　本件請求項２に係る発明と刊行物１乃至４記載の発明とを対比するに、刊行物１，２，４には、走査方向と直交する吐出口の中心線の走査方向に沿う両側に第一加熱部と第二加熱部を設けることさえ記載がない。
　刊行物３には、走査方向と直交する吐出口の中心線の走査方向に沿う両側に第一加熱部と第二加熱部を設けることについては記載はあるが、加熱部の１つは予備用であって、走査方向が切り替わる毎に走査方向と反対側に位置する第一又は第二加熱部を選択して電源を供給する電源切替部を設けることについては記載も示唆もない。
　そして、本件請求項２に係る発明は、走査方向と直交する吐出口の中心線の走査方向に沿う両側に、第一加熱部と第二加熱部を設け、かつ、走査方向が切り替わる毎に走査方向と反対側に位置する第一又は第二加熱部を選択して電源を供給する電源切替部を設けたことにより、往復走査のいずれの走査方向においても、インク滴を反走査方向側から走査方向側に斜めに飛ばして、インク散りを防止でき、印字品質の向上と記録速度の高速化を図ることができる、という特許明細書記載の格別の効果を奏するものと認められるから、刊行物１乃至４に記載された発明のいずれかと同一であるとも、或いはこれらの発明に基づいて当業者が容易に発明をすることができたものであるとも認められない。
　また、請求項２記載の構成に第三加熱部を加えた請求項３に係る発明、及び、請求項２或いは３を引用する請求項４，６，７に係る発明についても、同様の理由で刊行物１乃至４に記載された発明のいずれかと同一であるとも、或いはこれらの発明に基づいて当業者が容易に発明をすることができたものであるとも認められない。
４．特許異議申立人の主張
　申立人は、甲第１乃至３号証として上記刊行物１乃至３を提出し、本件請求項２，３，４，６，７に係る発明はこれら甲号証記載の発明に基づいて当業者が容易に発明をすることができたものである旨主張しているが、上述した理由により採用できない。
　なお、申立人は、訂正前の請求項１，５に係る発明についても上記甲各号証記載の発明に基づいて当業者が容易に発明をすることができたものである旨主張したが、請求項１，５は訂正により削除された。
Ｖ．むすび
　したがって、特許異議申立ての理由及び証拠によっては、本件請求項２，３，４，６，７に係る特許を取り消すことはできない。
　また、他に本件請求項２，３，４，６，７に係る特許を取り消すべき理由を発見しない。
　よって、結論のとおり決定する。
【異議決定日】
平成１１年９月１７日（１９９９．９．１７）
【訂正の要旨】
　　　　　　　　　訂正の要旨
　▲１▼訂正事項ａ
　特許請求の範囲の請求項２中の「前記吐出口の中心線の両側に、第一加熱部と第二加熱部を設け、かつ、前記インクジェットプリンタヘッドの走査方向と反対側に位置する第一又は第二加熱部を選択的して」を、誤記の訂正、明りょうでない記載の釈明、及び特許請求の範囲の減縮を目的として、「前記吐出口の中心線の走査方向に沿う両側に、第一加熱部と第二加熱部を設け、かつ、走査方向が切り替わる毎に前記インクジェットプリンタヘッドの走査方向と反対側に位置する第一又は第二加熱部を選択して」と訂正するものである。
　▲２▼訂正事項ｂ
　特許請求の範囲の請求項３中の「前記吐出口の中心線の両側に、第一加熱部と第二加熱部を設けるとともに、これら第一及び第二加熱部の間に第三加熱部を設け、かつ、前記インクジェットプリンタヘッドの走査方向と反対側に位置する第一又は第二加熱部のいずれかと第三加熱部を選択して」を、明りょうでない記載の釈明、及び特許請求の範囲の減縮を目的として、「前記吐出口の中心線の走査方向に沿う両側に、第一加熱部と第二加熱部を設けるとともに、これら第一及び第二加熱部の間に第三加熱部を設け、かつ、走査方向が切り替わる毎に前記インクジェットプリンタヘッドの走査方向と反対側に位置する第一又は第二加熱部のいずれかと第三加熱部を選択して」と訂正するものである。
　▲３▼訂正事項ｃ
　特許明細書の段落【００２０】の記載中の、上記訂正事項ａにおけると同様箇所を、訂正事項ａとの整合を図るため、同様に訂正するものである。
　▲４▼訂正事項ｄ
　特許明細書の段落【００２１】の記載中の、上記訂正事項ｂにおけると同様箇所を、訂正事項ｂとの整合を図るため、同様に訂正するものである。
　▲５▼訂正事項ｅ
　特許明細書の段落【００２４】の記載中の「加熱部を加熱さする」を、誤記の訂正を目的として、「加熱部を加熱する」と訂正するものである。
　▲６▼訂正事項ｆ
　特許請求の範囲の請求項１及び５を、特許請求の範囲の減縮を目的として、削除する訂正である。
（５４）【発明の名称】
インクジェットプリンタヘッド及びこのインクジェットプリンタヘッドの駆動方法
（５７）【特許請求の範囲】
　【請求項１】　　（削除）
　【請求項２】　往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の
走査方向に沿う
走査方向が切り替わる毎に
択して
　【請求項３】　往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の
走査方向に沿う
走査方向が切り替わる毎に
　【請求項４】　前記電源切替部を、前記加熱部の電源供給側に設けた構成の請求項２又は３記載のインクジェットプリンタヘッド。
　【請求項５】　（削除）
　【請求項６】　請求項２記載のインクジェットプリンタヘッドの駆動方法であって、インクジェットプリンタヘッドが往復走査するときに、前記電源切替部を切り替えて、前記第一又は第二加熱部のうち、反走査方向側に位置する加熱部を加熱することによって、前記吐出口の中心線の反走査方向側から走査方向側に向けてインク滴を飛ばすことを特徴とするインクジェットプリンタヘッドの駆動方法。
　【請求項７】　請求項３記載のインクジェットプリンタヘッドの駆動方法であって、インクジェットプリンタヘッドが往復走査するときに、前記電源切替部を切り替えて、前記第一及び第三加熱部、又は、前記第二及び第三加熱部のうち、反走査方向側に位置する加熱部と前記第三加熱部を加熱することによって、前記吐出口の中心線の反走査方向側から走査方向側に向けてインク滴を飛ばすことを特徴とするインクジェットプリンタヘッドの駆動方法。
【発明の詳細な説明】
　【０００１】
　【産業上の利用分野】本発明は、インク滴を気泡の圧力によって記録紙へ飛ばし、記録紙にインク滴を付着させて記録を行なうバブルジェット記録方式を用いたインクジェットプリンタヘッドに関し、特に、インクジェットプリンタヘッドを走査させながら記録を行なわせる場合に有効なインクジェットプリンタヘッド及びこのインクジェットプリンタヘッドの駆動方法に関する。
　【０００２】
　【従来の技術】近年、ノンインパクト記録法は、記録時における騒音が極めて小さく、また、高速記録が可能であるという点において関心を集めている。その中でも、プリンタヘッドから液体状のインク滴を飛ばすことによって記録紙に付着させ、文字、図形等の記録を行なうインクジェット記録方式は、高速記録を行なえるとともに、普通紙に特別の定着処理をしないで記録が行なえる極めて有効な記録方法であり、現在、このインクジェット記録方式を用いた種々のインクジェットプリンタが提案され、商品化されている。
　【０００３】さらに、このインクジェット記録方式は、インクジェットプリンタヘッドにおけるインク滴の発生手段によって、オンデマンド記録方式、バブルジェット記録方式等に分類することができるが、以下においては、バブルジェット記録方式を用いた従来のインクジェットプリンタヘッドについて、図面を参照しつつ説明する。　
　【０００４】図１０は従来のインクジェットプリンタヘッドを示す部分平面図である。図１１は上記インクジェットプリンタヘッドの配線パターンを示す部分平面図である。図１２は図１０のＢ−Ｂ断面図である。
　【０００５】これら図面において、１０は基板であり、共通電極２０１，個別電極２０２等の配線パターンが形成されている。この基板１０のオリフィス（吐出口）６１と対向する位置には、単一の加熱部３００が設けてあり、この加熱部３００の一端は共通電極２０１と接続してあり、また、他端は個別電極２０２と接続してあった。そして、個別電極２０２に接続された図示しないドライバに制御部からの制御信号が入力されるとき、このドライバが作動して、共通電極２０１から加熱部３００に電源が供給され、加熱部３００の全体が加熱される構成としてあった。
　【０００６】また、加熱部３００の近傍には、壁部４０が取り付けてあり、この壁部４０は、加熱部３００の周辺にインク貯蔵部５１を形成するとともに、このインク貯蔵部５１に連通するインク供給路５２を形成する。このインク供給路５２は、図示しないインク溜りと連通しており、インク貯蔵部５１には、このインク溜りから供給された液体状のインク７０が貯蔵してある。さらに、壁部４０の上方には、インク貯蔵部５１と連通する前記オリフィス６１を形成したオリフイスプレート６０が取り付けてある。
　【０００７】なお、図１０〜１２は、従来のインクジェットプリンタヘッドの一チャネルを示すものであり、実際には、図１０の上下方向（矢印Ｏ，Ｐ方向）に同様の構成のチャネルが複数連続して設けてある。
　【０００８】次に、上記構成からなる従来のインクジェットプリンタヘッドの動作について、図１２を参照しつつ説明する。まず、加熱部３００に電源を供給して加熱させると、加熱部３００上のインク７０が加熱されて沸騰し、加熱部３００上に気泡７１が発生する。そして、この気泡７１が膨脹して破裂すると、適量のインク滴７２がオリフィス６１から垂直に飛び出すとともに、気泡７１を形成していた空気の一部が外部に放出される。
　【０００９】このとき、インク貯蔵部５１内に残留した気泡７１の一部は、周囲のインク７０に冷却されて凝縮する。このような破裂及び凝縮による気泡７１の消滅にともなって、オリフィス６１から飛び出したインク滴７２と同量のインクが、インク供給路５２を介してインク溜りからインク貯蔵部５１へ供給される。
　【００１０】一方、オリフィス６１から垂直に飛び出したインク滴７２は、その粘性によって主滴７２ａの後にテイル７２ｂを引いた滴形状となり、図示しない記録紙上に付着して記録ドットを形成する。
　【００１１】また、バブルジェット記録方式を用いたシリアルプリンタでは、上記構成からなるチャネルを複数個備えたインクジェットプリンタヘッドを、一方向走査又は往復走査させて記録を行なっていた。
　【００１２】
　【発明が解決しようとする課題】上述した従来のインクジェットプリンタヘッドは、単一の加熱部３００をオリフィス６１と対抗する位置に配置し、該インクジェットプリンタヘッドの静止状態において、オリフィス６１からインク滴７２が垂直に飛び出す構成としてあった。
　【００１３】このため、従来のインクジェットプリンタヘッドを、プリンタヘッドを走査させながら記録を行なうシリアルプリンタに用いた場合、図１３（ａ）に示すように、オリフィス６１から飛び出したインク滴７２、特に、テイル７２ｂ側に、インクジェットプリンタヘッド１００の走査方向（図中矢印Ｑ）の力がはたらき、テイル７２ｂが、インクジェットプリンタ１００の走査方向側に斜めに飛んでしまう。
　【００１４】その後、図１３（ｂ）に示すように、インクジェットプリンタヘッド１００の走査方向に傾いたテイル７２ｂが、多数のインク小滴、いわゆるサテライト７２ｃに分裂する。そして、図１３（ｃ）に示すように、主滴７２ａが先に記録紙８０に付着して記録ドッド７２ｄを形成した後、サテライト７２ｃが、記録紙８０上の記録ドッド７２ｄから外れた位置に付着してインクの散り７２ｅを形成してしまう（図１４参照）。
　【００１５】このように従来のインクジェットプリンタヘッドでは、インクの散り７２ｅによって印字品質が低下し、また、インクジェットプリンタヘッドの走査速度が速くなるほどインクの散り７２ｅの程度が激しくなり、記録速度の高速化が図れないという問題があった。
　【００１６】なお、特開昭６３−２８１８５３号及び２８１８５４号では、インク貯蔵部内に弾性波吸収層とマッチング層を形成し、これら弾性波吸収層とマッチング層によって、インク滴を飛ばすための気泡が破裂したときに発生する高周波成分を減衰し、インク滴を安定させた状態で飛ばしてサテライト（インク散り）発生を防止するインクジェットプリンタヘッドが提案されている。
　【００１７】しかし、これら特開昭６３−２８１８５３号及び２８１８５４号のインクジェットプリンタヘッドも、単一の加熱部をオリフィスと対抗する位置に配置し、該インクジェットプリンタヘッドの静止状態においてインク滴が垂直に飛び出す構成としてあるため、インクジェットプリンタヘッドを走査させて記録を行なうと、上記従来例に係るインクジェットプリンタヘッドと同様にインク散りが生じ、記録速度の高速化を図ることができない。
　【００１８】本発明は、上記問題点にかんがみてなされたものであり、インクジェットプリンタヘッドを走査させて記録を行なう場合のインク散りを防止することができ、印字品質の向上と記録速度の高速化を図ることができるインクジェットプリンタヘッド及びこのインクジェットプリンタヘッドの駆動方法の提供を目的とする。
　【００１９】
　【課題を解決するための手段】上記目的を達成するために、請求項１記載のインクジェットプリンタヘッドは、一方向に走査しながら、インク貯蔵部内に取り付けた加熱部でインクを加熱して気泡を発生させ、前記加熱部と対向して設けた吐出口からインク滴を飛ばすインクジェットプリンタヘッドにおいて、前記加熱部を、インクジェットプリンタヘッドの走査方向と直交する前記吐出口の中心線より反走査方向側に設けた構成としてある。
　【００２０】請求項２記載のインクジェットプリンタヘッドは、往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の
走査方向に沿う
走査方向が切り替わる毎に
　【００２１】請求項３記載のインクジェットプリンタヘッドは、往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の
走査方向に沿う
走査方向が切り替わる毎に
　【００２２】請求項４記載のインクジェットプリンタヘッドは、前記電源切替部を、前記加熱部の電源供給側に設けた構成としてある。
　【００２３】請求項５記載のインクジェットプリンタヘッドの駆動方法は、請求項１記載のインクジェットプリンタヘッドの駆動方法であって、インクジェットプリンタヘッドが走査するときに、前記加熱部を加熱することによって、前記吐出口の中心線の反走査方向側から走査方向側に向けてインク滴を飛ばす方法としてある。
　【００２４】請求項６記載のインクジェットプリンタヘッドの駆動方法は、請求項２記載のインクジェットプリンタヘッドの駆動方法であって、インクジェットプリンタヘッドが往復走査するときに、前記電源切替部を切り替えて、前記第一又は第二加熱部のうち、反走査方向側に位置する加熱部を加熱することによって、前記吐出口の中心線の反走査方向側から走査方向側に向けてインク滴を飛ばす方法としてある。
　【００２５】請求項７記載のインクジェットプリンタヘッドの駆動方法は、請求項３記載のインクジェットプリンタヘッドの駆動方法であって、インクジェットプリンタヘッドが往復走査するときに、前記電源切替部を切り替えて、前記第一及び第三加熱部、又は、前記第二及び第三加熱部のうち、反走査方向側に位置する加熱部と前記第三加熱部を加熱することによって、前記吐出口の中心線の反走査方向側から走査方向側に向けてインク滴を飛ばす方法としてある。
　【００２６】
　【作用】上記構成からなる請求項１記載のインクジェットプリンタヘッド及び請求項５記載のインクジェットプリンタヘッドの駆動方法によれば、本インクジェットプリンタヘッドを一方向に走査させながらインク滴を飛ばすと、前記インク滴の走査方向側に向かって飛び出す力と、前記インク滴にはたらくインクジェットプリンタヘッドの走査方向の力が相殺され、前記インク滴の主滴とテイルが記録紙に対して垂直状態となる。これにより、記録ドットとサテライトの付着位置を一致させることができ、インク散りの発生を防止することができる。
　【００２７】上記請求項２〜４記載のインクジェットプリンタヘッド及び請求項６，７記載のインクジェットプリンタヘッドの駆動方法によれば、往復走査しながら記録を行なうインクジェットプリンタヘッドの走査方向に対応して、反走査方向側に位置する加熱部を加熱する構成としてあるので、前記インクジェットプリンタヘッドが順方向又は逆方向のいずれに往復走査したときでも、インク滴が、前記吐出口の中心線の反走査方向側から走査方向側に向かって飛び出す。これにより、順方向と逆方向のいずれの走査方向のときでも、前記インク滴を記録紙に対して垂直状態にさせることができ、記録ドットとサテライトの付着位置を一致させてインク散りの発生を防止することができる。
　【００２８】
　【実施例】以下、本発明のインクジェットプリンタヘッド及びこのインクジェットプリンタヘッドの駆動方法の実施例について、図面を参照しつつ説明する。まず、本発明の第一実施例に係るインクジェットプリンタヘッドの実施例について説明する。図１は第一実施例に係るインクジェットプリンタヘッドを示す部分平面図である。図２は本インクジェットプリンタヘッドの配線パターンを示す部分平面図である。図３は上記インクジェットプリンタヘッドの回路図である。図４は図１のＡ−Ａ断面図である。なお、以下の実施例において、従来と同様の部分については、同一番号を付して詳細な説明を省略する。
　【００２９】図１、図２及び図４において、３０は加熱部であり、インク貯蔵部５２のオリフィス（吐出口）６１と対向する位置に配置してある。この加熱部３０は、走査方向と直交するオリフィス６１の中心線Ｃの右側（図４中矢印Ｑ）と左側（図４中矢印Ｒ）に設けた第一及び第二加熱部３１、３２によって形成してある。
　【００３０】また、図３に示すように、これら第一及び第二加熱部３１、３２の一端は共通電極２１に接続してあり、また、他端は第一及び第二個別電極２２，２３にそれぞれ個別に接続してある。そして、共通電極２１（加熱部３０の電源供給側）には、図示しない電源部が接続してあり、また、第一及び第二個別電極２２，２３（加熱部３０の反電源供給側）には、複数の抵抗とトランジスタからなる第一及び第二ドライバ（電源切替部）９１，９２がそれぞれ接続してある。
　【００３１】さらに、これら第一及び第二ドライバ９１，９２は、図示しない制御部と接続してあり、この制御部は、第一又は第二ドライバ９１，９２のいずれかに制御信号を出力して、これら第一又は第二ドライバ９１，９２を作動させる。第一又は第二ドライバ９１，９２が作動すると、第一又は第二加熱部３１，３２に前記電源部からの電源が供給され、これら第一又は第二加熱部３１，３２が加熱されて加熱部３０の加熱位置が切り替わる。
　【００３２】図４に示すように、オリフィス６１は、外側の開口部を加熱部３０の平面面積より小さくするとともに、加熱部３０に向かって拡開する形状としてある。
　【００３３】なお、共通電極２１には、他のチャネルに設けられた第一及び第二加熱部も接続してあり、この共通電極２１は、本インクジェットプリンタヘッドの全チャネルの電源供給路として共有されている。
　【００３４】次に、上記構成からなる本インクジェットプリンタヘッドの静止状態における動作について、図４を参照しつつ説明する。
　【００３５】前記制御部から第一ドライバ９１に制御信号が入力されると、第一ドライバ９１が動作して、共通電極２１から第一加熱部３１に電源が供給され、第一加熱部３１が加熱される。これにより、加熱部３０の中心線Ｃより右側が加熱され、該加熱部３０の右側上方に気泡７１（図４の二点鎖線）が発生する。
　【００３６】そして、この気泡７１が、加熱部３０の右側で破裂することにより、この破裂時に生じる力がオリフィス６１内周面に衝突し、インク貯蔵部５１内のインク７０に、中心線Ｃの右側から左側に向かう力を作用させる。これによって、オリフィス６１から適量のインク滴７２が、中心線Ｃの右側から左側に向けて斜めに飛び出す。
　【００３７】一方、前記制御部から第二ドライバ９２に制御信号が入力されると、第二ドライバ９２が動作して、共通電極２１から第二加熱部３２に電源が供給され、第二加熱部３２が加熱される。これにより、加熱部３０の中心線Ｃより左側が加熱され、該加熱部３０の左側上方に気泡７１（図４の実線）が発生する。そして、この気泡７１が、加熱部３０の左側で破裂することにより、オリフィス６１から適量のインク滴７２が、中心線Ｃの左側から右側に向けて斜めに飛び出す。
　【００３８】次に、本インクジェットプリンタヘッドの駆動方法の実施例について、図５及び図６（ａ）〜（ｃ）を参照しつつ説明する。図５（ａ），（ｂ）は本インクジェットプリンタヘッドを、走査方向に対応して動作させる制御信号のタイムチャートである。図６（ａ）〜（ｃ）は本インクジェットプリンタヘッドを走査させたときのインク滴の状態を示す説明図である。
　【００３９】まず、インクジェットプリンタヘッド１が順方向（図６の右側方向、矢印Ｑ）に走査するときは、図５（ａ）に示すように、前記制御部からの制御信号が第二ドライバ９２に入力され（ｔｌ〜ｔ２）、この場合の反走査方向側に位置する第二加熱部３２に電源が供給される。すると、図６（ａ）に示すように、オリフィス６１から適量のインク滴７２が、中心線Ｃの逆方向側（反走査方向側）から順方向側（走査方向側）に向けて斜めに飛び出す。その結果、インク滴７２の走査方向側斜めにはたらく力と、インク滴７２にはたらくインクジェットプリンタヘッド１の走査方向（順方向）の力が相殺され、インク滴７２の主滴７２ａとテイル７２ｂが記録紙８０に対して垂直状態となる。
　【００４０】次いで、図６（ｂ）に示すように、主滴７２ａより速度の遅いテイル７２ｂが、多数のインク小滴、いわゆるサテライト７２ｃに分裂する。
　【００４１】そして、インク滴７２が、記録紙８０に対して垂直状態となったことにより、図６（ｃ）に示すように、主滴７２ａが先に記録紙８０に付着して記録ドッド７２ｄを形成した後、サテライト７２ｃが、記録紙８０上の記録ドット７２ｄと同じ位置に付着する。これによって、記録紙８０上に単一でインク散りのない記録ドット７２ｄが形成される。
　【００４２】一方、インクジェットプリンタヘッド１が逆方向に走査するときは、図５（ｂ）に示すように、前記制御部から第一ドライバ９１に制御信号が入力され（ｔ３〜ｔ４）、この場合の反走査方向側に位置する第一加熱部３１に電源が供給される。これにより、オリフィス６１から適量のインク滴７２が、中心線Ｃの順方向側（反走査方向側）から逆方向側（走査方向側）に向けて斜めに飛び出す。そして、インク滴７２の走査方向側斜めにはたらく力と、インク滴７２にはたらくインクジェットプリンタヘッド１の走査方向（逆方向）の力が相殺され、インク滴７２が記録紙８０に対して垂直状態となる。その後、上記と同様の動作によって、記録紙８０上に単一でインク散りのない記録ドット７２ｄが形成される。
　【００４３】このような構成からなる本第一実施例のインクジェットプリンタヘッドによれば、インクジェットプリンタヘッド１を順方向又は逆方向のどちらに走査させたときでも、インク散りの発生を防止することができ、印字品質の向上と記録速度の高速化を図ることができる。
　【００４４】次に、本発明の第二実施例に係るインクジェットプリンタヘッドについて、図７及び図８を参照しつつ説明する。図７は第二実施例に係るインクジェットプリンタヘッドの配線パターンを示す部分平面図である。図８は本インクジェットプリンタヘッドの回路図である。
　【００４５】本実施例では、図７に示すように、加熱部３０を、オリフィイス６１の走査方向と直交する中心線Ｃの右側と左側に設けた第一及び第二加熱部３１，３２と、これら第一及び第二加熱部３１，３２の間に位置し、中心線Ｃと同一中心線を有する第三加熱部３３によって形成した構成としてある。
　【００４６】また、本実施例では、図７及び図８に示すように、これら第一〜第三加熱部３１，３２，３３の一端どうしを接続するとともに、第一加熱部３１の他端を第一共通電極２４に、第二加熱部３２の他端をビアホール３２ａを介して第二共通電極２５に、第三加熱部３３の他端を個別電極２６を介してドライバ９３に接続した構成としてある。
　【００４７】さらに、第一及び第二共通電極２４，２５（加熱部３０の電源供給側）には、第一及び第二ドライバ（電源切替部）９４，９５がそれぞれ接続してあり、これら第一及び第二ドライバ９４，９５は、前記制御部からの駆動信号にもとづいて選択的に動作し、第一又は第二共通電極２４，２５のいずれかに図示しない電源部からの電源を供給する。ドライバ９３は、前記制御部からの制御信号にもとづいて作動し、第一又は第二共通電極２４，２５からの電源を、第一及び第三加熱部３１，３３又は第二及び第三加熱部３２，３３に供給する。
　【００４８】すなわち、前記制御部が、第一又は第二ドライバ９４，９５のいずれに駆動信号を出力するかによって、前記電源部と第一又は第二共通電極２４，２５の接続が切り替えられ、さらに、前記制御部が、ドライバ９３に制御信号を出力することによって、これら第一及び第三加熱部３１，３３又は第二及び第三加熱部３２，３３のいずれかに電流が供給される。
　【００４９】なお、図７において、平面的には、第二共通電極２５と個別電極２６が交差しているように見えるが、これら第二共通電極２５と個別電極２６は絶縁層によって分離してある。
　【００５０】次に、上記構成からなる本インクジェットプリンタヘッドの駆動方法について、図９を参照しつつ説明する。図９は本インクジェットプリンタヘッドを、走査方向に対応して動作させる信号のタイムチャートである。
　【００５１】本インクジェットプリンタヘッドが順方向に走査するときには、まず、図９（ａ）に示すように、前記制御部から第二ドライバ９５へ駆動信号が出力され（ｔｌ）、第二共通電極２５と前記電源が接続される。次いで、前記制御部からドライバ９３へ制御信号が出力され（ｔ２〜ｔ３）、第二及び第三加熱部３２，３３に電源が供給される。これにより、この場合の反走査方向側に位置する第二加熱部３２と、第三加熱部３３が加熱され、これら第二及び第三加熱部３２，３３にまたがった状態で気泡が形成され、インク滴力瓢中心線Ｃの逆方向側（反走査方向側）から順方向側（走査方向側）に向けて斜めに飛び出す。その結果、インク滴の走査方向側斜めにはたらく力と、インク滴にはたらくインクジェットプリンタヘッドの走査方向（順方向）の力が相殺され、インク滴が記録紙に対して垂直状態となる。
　【００５２】一方、インクジェットプリンタヘッドが逆方向に走査するときには、まず、図９（ｂ）に示すように、前記制御部から第一ドライバ９４へ駆動信号が出力され（ｔ４）、第一共通電極２４と前記電源が接続される。次いで、前記制御部からドライバ９３へ制御信号が出力され（ｔ５〜ｔ６）、第一及び第三加熱部３１，３３に電源が供給される。これにより、この場合の反走査方向側に位置する第一加熱部３１と第三加熱部，３３が加熱され、これら第一及び第三加熱部３１，３３にまたがった状態で気泡が形成され、適量のインク滴が、中心線Ｃの順方向側（反走査方向側）から逆方向側（走査方向側）に向けて斜めに飛び出す。その結果、インク滴の走査方向側斜めにはたらく力と、インク滴にはたらくインクジェットプリンタヘッドの走査方向（逆方向）の力が相殺され、インク滴が記録紙に対して垂直状態となる。これによって、記録紙上に単一でインク散りのない記録ドットが形成される。
　【００５３】このような構成からなる本実施例のインクジェットプリンタヘッドによれば、順方向又は逆方向いずれの走査方向のときも、常に、第三加熱部３３が加熱されていることにより、気泡を速く発生させることができ、記録速度の高速化を図ることができる。また、電源切替部である第一及び第二ドライバ９４，９５を加熱部３０の電源供給側に設けた構成としたことにより、ドライバの数の減少及び配線の簡単化を図ることができる。
　【００５４】すなわち、上記第一実施例のインクジェットプリンタヘッドでは、図３に示すように、加熱部３０の反電源供給側に電源切替部である第一及び第二ドライバ９１，９２を設けた構成としてあり、このため、チャネル数ｎに対するドライバの数がｎ×２個であったが、本第二実施例のインクジェットプリンタヘッドでは、図８に示すように、チャネル数ｎに対するドライバの数がｎ＋２個に減少する。
　【００５５】なお、本実施例は、上述した第一及び第二実施例に限定されるものではない。上記各実施例では、順方向と逆方向に往復走査して記録を行なうインクジェットプリンタに本発明を実施した場合について説明したが、これは、特に限定されるものではなく、本発明は、いずれか一方向のみに走査して記録を行なうインクジェットプリンタにも応用することができる。このような場合は、オリフィス６１の中心線Ｃの反走査方向側に単一の加熱部を設ける構成とする。
　【００５６】また、上記各実施例では、加熱部３０を二又は三の加熱部３１〜３３によって形成した構成としたが、一又は三以上の加熱部によって加熱部３０を形成してもよい。例えば、上記第一及び第二加熱部３１，３２を一体化して単一の加熱部とし、第一又は第二ドライバ９１，９２に選択的に制御信号を入力することにより、インクジェットプリンタヘッドの走査方向に応じて、前記単一の加熱部の反走査方向側を加熱させることができる。
　【００５７】ただし、単一の加熱部を用いる構成とすると、加熱部全体に供給される電流の分布が不均一となり、電流の集中する部分で破損が生じやすくなるので、上記実施例のように、加熱部３０は、分割された複数の加熱部によって形成することが好ましい。
　【００５８】さらに、上記第一実施例では、電源切替部である第一及び第二ドライバ９１，９２を、加熱部３０の反電源供給側に設けた構成とし、また、上記第二実施例では、電源切替部である第一及び第二ドライバ９４，９５を、加熱部３０の電源供給側に設けた構成としたが、これは、特に限定されるものではなく、加熱部の数に関係なく、加熱部３０の電源供給側、又は、反電源供給側に電源切替部（第一及び第二ドライバ）を設ける回路構成とすることもできる。
　【００５９】
　【発明の効果】以上、説明したように本発明のインクジェットプリンタヘッドによれば、インク滴を、吐出口の前記走査方向と直交する中心線の反走査方向側から走査方向側に斜めに飛ばす構成としたことにより、インクジェットプリンタヘッドを走査させて記録を行なう場合のインク散りを防止することができ、印字品質の向上と記録速度の高速化を図ることができる。
【図面の簡単な説明】
　【図１】本発明の第一実施例に係るインクジェットプリンタヘッドを示す部分平面図である。
　【図２】本インクジェットプリンタヘッドの配線パターンを示す部分平面図である。
　【図３】本インクジェットプリンタヘッドの回路図である。
　【図４】図１のＡ−Ａ断面図である。
　【図５】同図（ａ），（ｂ）本インクジェットプリンタヘッドを、走査方向に対応して動作させる制御信号のタイムチャートである。
　【図６】同図（ａ）〜（ｃ）は本インクジェットプリンタヘッドを走査させたときのインク滴の状態を示す説明図である。
　【図７】本発明の第二実施例に係るインクジェットプリンタヘッドの配線パターンを示す部分平面図である。
　【図８】本インクジェットプリンタヘッドの回路図である。
　【図９】同図（ａ）〜（ｃ）は本インクジェットプリンタヘッドを、走査方向に対応して動作させる各信号のタイムチャートである。
　【図１０】従来のインクジェットプリンタヘッドを示す部分平面図である。
　【図１１】上記インクジェットプリンタヘッドの配線パターンを示す部分平面図である。
　【図１２】図１０のＢ−Ｂ断面図である。
　【図１３】同図（ａ）〜（ｃ）上記インクジェットプリンタヘッドを走査させたときのインク滴の状態を示す平面図である。
　【図１４】上記インクジェットプリンタヘッドにおいて発生するインク散りの状態を示す平面図である。
　【符号の説明】
１０　基板
２１　共通電極
２２　第一個別電極
２３　第二個別電極
２４　第一共通電極
２５　第二共通電極
２６　個別電極
３０　加熱部
３１　第一加熱部
３２　第二加熱部
３３　第三加熱部
４０　壁部
５１　インク貯蔵部
５２　インク供給路
６０　オリフィスプレート
６１　オリフィス（吐出口）
７０　インク
７１　気泡
７２　インク滴
７２ａ　主滴
７２ｂ　テイル
８０　記録紙
９１，９４　第一ドライバ
９２，９５　第二ドライバ
９３　ドライバ